(57)【要約】【課題】距離感がつかみやすい虚像を表示可能な表示システム、電子ミラーシステム、移動体、及び表示方法を提供する。【解決手段】表示システム２は、画像形成部４と、光学系部品５と、を備える。画像形成部４は、画像を形成する光を表示面４１１から出力することで表示面４１１に画像を表示する。光学系部品５は、表示面４１１から出力される光の反射と屈折との少なくとも一方を行うことで画像に基づく虚像を投影する。光学系部品５は、光学系部品５を介して左目に結像される左目画像の像歪と、光学系部品５を介して右目に結像される右目画像の像歪とを互いに異ならせる像歪発生構造を有する。【選択図】図１
2019174794.tif 000002
【特許請求の範囲】
【請求項１】
画像を形成する光を表示面から出力することで前記表示面に画像を表示する画像形成部と、
前記表示面から出力される光の反射と屈折との少なくとも一方を行うことで前記画像に基づく虚像を投影する光学系部品と、を備え、
前記光学系部品は、前記光学系部品を介してユーザの左目に結像される左目画像の像歪と、前記光学系部品を介して前記ユーザの右目に結像される右目画像の像歪とを互いに異ならせる像歪発生構造を有する、
表示システム。
【請求項２】
前記左目画像の歪み方及び前記右目画像の歪み方がそれぞれ上下方向において非対称である、
請求項１に記載の表示システム。
【請求項３】
前記左目画像及び前記右目画像の上下方向において、左右方向における前記左目画像と前記右目画像とのずれ量が変化する、
請求項１又は２に記載の表示システム。
【請求項４】
前記左目画像及び前記右目画像の上端部における前記左目画像と前記右目画像との第１ずれ量に比べて、前記左目画像及び前記右目画像の下端部における前記左目画像と前記右目画像との第２ずれ量の方が大きい、
請求項１〜３のいずれか１項に記載の表示システム。
【請求項５】
前記左目画像及び前記右目画像の上端部における前記画像形成部と前記ユーザのアイボックスとの間の第１光路長は、前記左目画像及び前記右目画像の下端部における前記画像形成部と前記ユーザのアイボックスとの間の第２光路長よりも長い、
請求項１〜４のいずれか１項に記載の表示システム。
【請求項６】
前記光学系部品は、前記表示面に表示される前記画像の一部である第１部分画像に基づく前記左目画像を前記左目に結像させ、前記表示面に表示される前記画像の一部である第２部分画像に基づく前記右目画像を前記右目に結像させる、
請求項１〜５のいずれか１項に記載の表示システム。
【請求項７】
前記左目画像と前記右目画像との一部が共通しており、
少なくとも、前記左目画像と前記右目画像とに共通する画像領域において、前記左目画像の像歪と前記右目画像の像歪とが互いに異なる、
請求項６に記載の表示システム。
【請求項８】
前記ユーザの目の位置を検知する検知部と、
前記検知部の検知結果に基づいて、前記左目画像の像歪と前記右目画像の像歪との少なくとも一方を調整する調整部と、を更に備える、
請求項１〜７のいずれか１項に記載の表示システム。
【請求項９】
前記光学系部品は、
前記表示面から出力された光に基づく入射光を上向きに反射して、前記左目及び前記右目に入射させる反射部材を含む、
請求項１〜８のいずれか１項に記載の表示システム。
【請求項１０】
前記画像形成部は、カメラの映像に基づく前記画像を前記表示面に表示する、
請求項１〜９のいずれか１項に記載の表示システム。
【請求項１１】
前記光学系部品が反射部材を含み、前記像歪発生構造は、像歪に影響する反射面の属性を含む、
請求項１〜１０のいずれか１項に記載の表示システム。
【請求項１２】
前記反射部材の前記反射面が自由曲面を含む、
請求項１１に記載の表示システム。
【請求項１３】
請求項１〜１２のいずれか１項に記載の表示システムと、カメラと、を備え、
前記画像形成部は、カメラの映像に基づく前記画像を前記表示面に表示する、
電子ミラーシステム。
【請求項１４】
請求項１３に記載の電子ミラーシステムと、
前記電子ミラーシステムを搭載する移動体本体と、を備える、
移動体。
【請求項１５】
前記カメラは、前記移動体本体の後方を撮像する、
請求項１４に記載の移動体。
【請求項１６】
虚像を形成するための画像を形成する光を画像形成部の表示面から出力することで前記表示面に前記画像を表示することと、
ユーザの左目及び右目に左目画像及び右目画像をそれぞれ形成し、前記ユーザの前記左目及び前記右目に投影する前記虚像を投影するために、前記表示面から出力される光を光学系部品によって反射と投影との少なくとも一方を行うことと、
前記光学系部品の像歪発生構造によって前記左目画像の像歪と、前記右目画像の像歪とを互いに異ならせることとを含む、
表示方法。
【発明の詳細な説明】
【技術分野】
【０００１】
本開示は、表示システム、電子ミラーシステム、移動体、及び表示方法に関する。より詳細には、本開示は、映像に基づく虚像を投影する表示システム、電子ミラーシステム、移動体、及び表示方法に関する。
【背景技術】
【０００２】
従来、車両の後方を撮影するカメラの映像を表示する電子ルームミラーのような車両用表示システムがあった（例えば特許文献１参照）。
【０００３】
この車両用表示システムは、映像を表示する表示器と、表示器に表示された映像を反射させる反射部と、反射部で反射された映像を反射させる凹面鏡と、を備える。表示器は、車両の後方を撮影するカメラの映像を表示する。表示器に表示された映像は反射部によって反射された後、凹面鏡によって反射される。これにより、表示器と反射部と凹面鏡とで構成される光路によって、映像が表示された表示器から発生される光を略平行光にして、乗員の視点まで到達させている。
【先行技術文献】
【特許文献】
【０００４】
【特許文献１】特開２００９−１２００８０号公報
【発明の概要】
【発明が解決しようとする課題】
【０００５】
特許文献１に記載の車両用表示システムでは、表示器と反射部と凹面鏡とを用いて、表示器に表示される映像に基づく虚像を表示させているが、車両の後方に存在する物体（例えば車等）との距離感がつかみにくい、という問題あった。
【０００６】
本開示の目的は、距離感がつかみやすい虚像を表示可能な表示システム、電子ミラーシステム、移動体、及び表示方法を提供することにある。
【課題を解決するための手段】
【０００７】
本開示の一態様の表示システムは、画像形成部と、光学系部品と、を備える。前記画像形成部は、画像を形成する光を表示面から出力することで前記表示面に画像を表示する。前記光学系部品は、前記表示面から出力される光の反射と屈折との少なくとも一方を行うことで前記画像に基づく虚像を投影する。前記光学系部品は、前記光学系部品を介してユーザの左目に結像される左目画像の像歪と、前記光学系部品を介して前記ユーザの右目に結像される右目画像の像歪とを互いに異ならせる像歪発生構造を有する。
【０００８】
本開示の一態様の電子ミラーシステムは、前記表示システムと、カメラと、を備える。前記画像形成部は、カメラの映像に基づく前記画像を前記表示面に表示する。
【０００９】
本開示の一態様の移動体は、前記電子ミラーシステムと、前記電子ミラーシステムを搭載する移動体本体と、を備える。
【００１０】
本開示の一態様の表示方法は、虚像を形成するための画像を形成する光を画像形成部の表示面から出力することで前記表示面に前記画像を表示することと、ユーザの左目及び右目に左目画像及び右目画像をそれぞれ形成し、前記ユーザの前記左目及び前記右目に投影する前記虚像を投影するために、前記表示面から出力される光を光学系部品によって反射と投影との少なくとも一方を行うことと、前記光学系部品の像歪発生構造によって前記左目画像の像歪と、前記右目画像の像歪とを互いに異ならせることとを含む。
【発明の効果】
【００１１】
本開示によれば、距離感がつかみやすい虚像を表示可能な表示システム、電子ミラーシステム、及び移動体を提供することができる。
【図面の簡単な説明】
【００１２】
【図１】図１は、本開示の一実施形態に係る表示システムを備えた電子ミラーシステムの概略構成図である。
【図２】図２Ａは、同上の表示システムによってユーザの左目に結像される左目画像の説明図である。図２Ｂは、同上の表示システムによってユーザの右目に結像される右目画像の説明図である。図２Ｃは、左目画像と右目画像とのずれ量を説明する説明図である。
【図３】図３は、同上の画像表示システムを備える移動体の概略説明図である。
【図４】図４は、同上の画像表示システムを備える移動体の運転席に座ったユーザの前方視界を説明する説明図である。
【図５】図５Ａは、同上の表示システムによってユーザの左目に結像される左目画像の説明図である。図５Ｂは、同上の表示システムによってユーザの右目に結像される右目画像の説明図である。図５Ｃは、両目で視認される虚像の説明図である。
【図６】図６Ａは、同上の表示システムによって表示される虚像の説明図である。図６Ｂは、同上の表示システムが備える表示装置に表示される画像の説明図である。
【図７】図７Ａは、同上の表示システムによって表示される虚像の説明図である。図７Ｂは、同上の表示システムが備える表示装置に表示される画像の説明図である。
【図８】図８は、本開示の一実施形態の変形例１に係る表示システムの概略構成図である。
【図９】図９Ａ及び図９Ｂは、本開示の一実施形態の変形例２に係る表示システムの概略構成図である。
【図１０】図１０は、本開示の一実施形態の変形例３に係る表示システムの概略構成図である。
【図１１】図１１は、変形例３に係る表示システムにおいて、アイボックスと視点の位置との関係を示す説明図である。
【図１２】図１２は、変形例３に係る表示システムにおいて、視点位置に応じた補正を行わない場合の説明図である。
【図１３】図１３は、変形例３に係る表示システムにおいて、視点位置に応じた補正を行う場合の説明図である。
【発明を実施するための形態】
【００１３】
（実施形態）
（１）概要
本実施形態に係る表示システム２は、例えば、自動車１００（図３及び図４参照）のような移動体に適用される。本実施形態の表示システム２は、自動車１００の後方を撮影するカメラ３の映像を表示する電子ミラーシステム１に用いられる。
【００１４】
本実施形態に係る表示システム２は、図１に示すように、画像形成部４と、光学系部品５と、を備える。
【００１５】
画像形成部４は、画像を形成する光を表示面４１１から出力することで、表示面４１１に画像を表示する。
【００１６】
光学系部品５は、表示面４１１から出力される光の反射と屈折との少なくとも一方を行うことで、画像に基づく虚像３０（図３参照）を投影する。
【００１７】
光学系部品５は、光学系部品５を介してユーザ２００の左目に結像される左目画像１０Ｌ（図２Ａ参照）の像歪（収差）と、光学系部品５を介してユーザ２００の右目に結像される右目画像１０Ｒ（図２Ｂ参照）の像歪（収差）とを互いに異ならせる像歪発生構造を有する。
【００１８】
ここにおいて、光学系部品５が有する「像歪発生構造」とは、例えば光学系部品５が反射部材を含む場合は像歪に影響する反射面の属性（例えば、反射面の形状、反射角等）等である。また、光学系部品５がレンズを含む場合、光学系部品５が有する像歪発生構造とは、像歪に影響するレンズの属性（例えば、レンズの表面の形状）等である。光学系部品５が像歪発生構造を有することによって、光学系部品５を介して左目に結像される左目画像１０Ｌの像歪（収差）と、光学系部品５を介して右目に結像される右目画像１０Ｒの像歪とが互いに異なっている（図２Ａ〜図２Ｃ参照）。尚、図２Ａ〜図２Ｃでは、左目画像１０Ｌ及び右目画像１０Ｒは、空白の画像としているが、実際にはカメラ３の映像に基づく画像となる。図２Ａ〜図２Ｃにおいて画像の歪みを表現するために記載した枠線は実際には表示されない。
【００１９】
また、本実施形態に係る電子ミラーシステム１は、上記の表示システム２と、カメラ３と、を備える。画像形成部４は、カメラ３の映像に基づく画像を表示面４１１に表示する。
【００２０】
この表示システム２によれば、光学系部品５が、画像形成部４の表示面４１１から出力される光の反射と屈折との少なくとも一方を行うことで、ユーザ２００の左目に左目画像１０Ｌが結像し、ユーザ２００の右目に右目画像１０Ｒが結像する。これにより、ユーザ２００は、光学系部品５を介して光が入射する方向Ｄ１（図１参照）と平行な方向において、アイボックス２１０から所定の投影距離だけ離れた位置に、虚像３０（図４、図５参照）が投影されているかのように見える。ここにおいて、「虚像」とは、光学系部品５を介してユーザ２００の目に光が入射する方向Ｄ１と平行な方向の延長線上に存在するかのように見える画像のことをいう。
【００２１】
本実施形態の表示システム２及び電子ミラーシステム１では、光学系部品５を介して左目に結像される左目画像１０Ｌの像歪と、光学系部品５を介して右目に結像される右目画像１０Ｒの像歪とが互いに異なっている。これにより、左目画像１０Ｌと右目画像１０Ｒとで左右の目に視差を与えることができ、左目画像１０Ｌと右目画像１０Ｒとで疑似的な立体視を実現できる。したがって、表示システム２のユーザ２００（例えば、自動車１００の乗員）は虚像３０までの距離をつかみやすくなり、距離感をつかみやすい虚像３０を表示可能な表示システム２を実現できる。ここで、アイボックス２１０は、車室内において、ユーザ２００が表示システム２によって表示される画像（虚像）を欠けることなく視認可能な範囲である。換言すれば、ユーザ２００の目の位置がアイボックス２１０の範囲内にあれば、ユーザ２００は表示システム２によって表示される画像を欠けることなく視認できる。
【００２２】
（２）詳細
以下、本実施形態に係る表示システム２、及び表示システム２を備える電子ミラーシステム１について図１〜図７を参照して説明する。
【００２３】
本実施形態の表示システム２は、画像形成部４と光学系部品５とをハウジング７０に収納した表示装置８によって実現されている。
【００２４】
本実施形態の表示システム２は、図３に示すような自動車１００に適用される。本実施形態の表示システム２は、自動車１００の本体（移動体本体）１０１に設けられて本体１０１の外側（例えば後方）を撮影するカメラ３の映像を、本体１０１の内側（つまり車室の内部）に配置された表示装置８（図３及び図４参照）に表示する。以下の説明では、図３において「上」、「下」、「前」、「後」の矢印で示す通りに各方向を規定する。また、上下方向、及び前後方向とそれぞれ直交する方向を左右方向と規定する。ただし、これらの方向は表示システム２の設置方向を規定する趣旨ではない。また、図面中の各方向を示す矢印は説明のために表記しているに過ぎず、実体を伴わない。
【００２５】
（２．１）構成
本実施形態の表示システム２の構成を図１〜図４に基づいて説明する。
【００２６】
表示システム２は、上述のように、画像形成部４と、光学系部品５とを備える。表示システム２は、画像形成部４及び光学系部品５等の部品を収納したハウジング７０を備えている（図３及び図４参照）。ハウジング７０は、例えば合成樹脂の成型品である。ハウジング７０の後部の表面には開口部７２が設けられている。ハウジング７０の開口部７２には、透明な材料（例えば、ポリカーボネート樹脂、アクリル樹脂等の合成樹脂、又はガラス）で形成された透明な透光板７３が取り付けられている。ハウジング７０の形状は一例であり、適宜変更が可能である。
【００２７】
ハウジング７０は、移動体１００の本体１０１の天井部分１０２においてウィンドシールド１０４（フロントガラス）に近い前側部分であって、前部座席１０３に着座するユーザ２００が前方を向いた状態でユーザ２００の視界に入る位置に取り付けられている。ハウジング７０は、ボールジョイントを有する支持棒７１を介して本体１０１の天井部分１０２に取り付けられており、ユーザ２００の前方視界を邪魔しない位置に配置されている。
【００２８】
画像形成部４は、表示装置４１と、表示制御部４２とを備える。
【００２９】
表示装置４１は、例えば、液晶パネルとバックライトとを組み合わせた液晶ディスプレイ装置であり、液晶パネルの表面である表示面４１１から画像（例えばカラー画像）を形成する光を出力する。表示装置４１は、ハウジング７０の内部において透光板７３よりも下側に、表示面４１１を前方に向けた状態で配置されている。ここにおいて、表示装置４１は液晶ディスプレイ装置に限定されず、例えば、有機ＥＬ（Electro Luminescence）ディスプレイ等の自発光型の表示パネルでもよい。また、表示装置４１は、拡散透過型のスクリーンに対し、スクリーンの背後からレーザ光を走査することで、スクリーン上に画像を描画する構成でもよい。また、表示装置４１は、拡散透過型のスクリーンに対し、スクリーンの背後からプロジェクタで画像を投影する構成であってもよい。
【００３０】
表示制御部４２は、表示装置４１の表示を制御する。表示制御部４２は、例えば、移動体１００に設けられた車内ネットワークを介してカメラ３と通信する機能を有している。カメラ３は定期又は不定期に本体１０１の後方を撮影している。表示制御部４２は、カメラ３から車内ネットワークを介して取得した画像データをもとに、カメラ３の映像を表示装置４１の表示面４１１に表示させる。つまり、画像形成部４は、カメラ３の映像に基づく画像を表示面４１１に表示する。尚、表示制御部４２とカメラ３との間の通信は有線通信でもよいし、無線通信でもよい。
【００３１】
ここにおいて、カメラ３は、ＣＭＯＳ（Complementary Metal Oxide Semiconductor）イメージセンサ、ＣＣＤ（Charged Coupled Devices）イメージセンサ等の撮像素子を有している。カメラ３は、例えば一定の周期（例えば１秒あたり数十フレームのフレームレート）で本体１０１の後方を撮影して画像データを出力する。カメラ３は本体１０１の後方を撮影するものに限定されず、本体１０１の側方又は前方を撮影するものでもよい。また、カメラ３は本体１０１の後方を定期的に撮影するものに限定されず、自動車１００のＥＣＵ（Electronic Control Unit）又は表示制御部４２等からの命令を受けて本体１０１の後方を不定期に撮影するものでもよい。
【００３２】
光学系部品５は、表示面４１１から出力される光の反射と屈折との少なくとも一方を行うことで、表示システム２のユーザ２００（例えば、自動車１００の乗員）の目に光を入射させる。光学系部品５は、例えば凹面鏡のような反射部材５１を含んでいる。反射部材５１は、ハウジング７０の内部に、反射部材５１の反射面を表示装置４１の表示面４１１と透光板７３とにそれぞれ対向させた状態で配置されている。反射部材５１は、表示装置４１の表示面４１１から出力された光を透光板７３に向かって反射する。反射部材５１で反射された光は、透光板７３を通ってユーザ２００の目に照射されるので、表示装置４１の表示面４１１に表示された画像が光学系部品５を介してユーザ２００に視認される。
【００３３】
本実施形態では、反射部材５１は、自由曲面である反射面を有している。自由曲面とは、空間に交点と曲率を複数設定し、高次多項式でそれぞれの交点を補間して表現された曲面である。本実施形態では、光学系部品５を介してユーザ２００の左目に入射する左目画像１０Ｌの像歪と、光学系部品５を介してユーザ２００の右目に入射する右目画像１０Ｒの像歪と、が互いに異なるように、光学系部品５の光路が設計されている。つまり、反射部材５１の反射面の自由曲面は、光学系部品５を介してユーザ２００の左目に入射する左目画像１０Ｌの像歪と、光学系部品５を介してユーザ２００の右目に入射する右目画像１０Ｒの像歪と、が互いに異なるように設計されている。ここにおいて、反射部材５１の反射面の形状、反射角等で、上記の像歪発生構造が実現されている。
【００３４】
また、本実施形態の電子ミラーシステム１は、上記の表示システム２と、上記のカメラ３と、を備えている。
【００３５】
電子ミラーシステム１では、画像形成部４が、カメラ３の画像を表示面４１１に表示させているので、表示面４１１に表示されたカメラ３の画像に基づく虚像を投影することができる。したがって、電子ミラーシステム１のユーザ２００は、カメラ３の画像に基づく虚像を視認することができ、カメラ３によって撮影された本体１０１の後方の様子を確認できる。
【００３６】
本実施形態の電子ミラーシステム１は、自動車１００のような移動体に適用される。移動体は、電子ミラーシステム１と、電子ミラーシステム１を搭載する本体１０１（移動体本体）と、を備える。
【００３７】
（２．２）動作
本実施形態の表示システム２及び電子ミラーシステム１の動作について説明する。
【００３８】
電子ミラーシステム１は、例えば、自動車１００のＥＣＵ等から表示命令が入力されると、カメラ３の映像を表示する動作を開始する。
【００３９】
表示制御部４２は、車内ネットワークを介してカメラ３から画像データを取得し、取得した画像データを基に、カメラ３の映像に基づく画像を表示装置４１の表示面４１１に表示させる。ここで、表示装置４１に表示される画像の形状は、横長の長方形である。
【００４０】
表示装置４１の表示面４１１に画像が表示されると、表示面４１１から出力される光を光学系部品５が反射することによって、光学系部品５で反射された光が透光板７３を通ってユーザ２００の目に到達する。これにより、ユーザ２００の左目には、光学系部品５を介して入射する光によって左目画像１０Ｌ（図２Ａ参照）が結像し、ユーザ２００の右目には、光学系部品５を介して入射する光によって右目画像１０Ｒ（図２Ａ参照）が結像する。
【００４１】
ここで、光学系部品５の光路設計（つまり、反射部材５１の反射面である自由曲面の設計）において、左目画像１０Ｌの像歪と右目画像１０Ｒの像歪とが互いに異なるような設計が行われている。すなわち、光学系部品５は、左目画像１０Ｌの像歪と右目画像１０Ｒの像歪とを互いに異ならせる像歪発生構造（例えば、反射部材５１の反射面の形状、反射角等）を有している。
【００４２】
図２Ａの例では、左目画像１０Ｌには、画像の上側に行くほど左側に歪むように平行四辺形状に歪む像歪が発生している。図２Ｂの例では、右目画像１０Ｒには、画像の上側に行くほど右側に歪むように平行四辺形状に歪む像歪が発生している。このように、光学系部品５の像歪発生構造は、左目画像１０Ｌの歪み方及び右目画像１０Ｒの歪み方がそれぞれ上下方向において非対称となるように構成されており、左目画像１０Ｌと右目画像１０Ｒとが左右方向において対称となるように構成されている。ここにおいて、左目画像１０Ｌの形状及び右目画像１０Ｒの形状はそれぞれ平行四辺形状であって、下辺に対して上辺がそれぞれ反対向きに変形している。また、左目画像１０Ｌと右目画像１０Ｒとが左右方向において対称となるとは、左目画像１０Ｌ及び右目画像１０Ｒが、例えば、左右方向において対称な平行四辺形状に歪むことを意味する。ここにおいて、左目画像１０Ｌ及び右目画像１０Ｒにおける左右方向とは、左目及び右目が並ぶ方向（第１方向）であり、左目画像１０Ｌ及び右目画像１０Ｒの上下方向とは、左目及び右目が並ぶ方向（第１方向）と直交する方向（第２方向）である。なお、左目画像１０Ｌ及び右目画像１０Ｒにおける上下方向及び左右方向は、アイボックスにおける上下左右であるので、実空間における上下方向及び左右方向とは必ずしも一致しない。すなわち、表示システム２を搭載する自動車１００（移動体）の姿勢が傾くことによって、左目画像１０Ｌ及び右目画像１０Ｒにおける上下方向は実空間における上下方向と異なる場合がある。同様に、表示システム２を搭載する自動車１００（移動体）の姿勢が傾くことによって、左目画像１０Ｌ及び右目画像１０Ｒにおける左右方向は実空間における水平方向と異なる場合がある。
【００４３】
図２Ｃは、ユーザ２００の見え方に合わせて左目画像１０Ｌと右目画像１０Ｒとを重ね合わせた状態を示しており、左目画像１０Ｌと右目画像１０Ｒとは一部が重なっている。図２Ｃは、左目画像１０Ｌと右目画像１０Ｒとが重なる領域の中心にユーザ２００の視点がある場合の見え方を示している。ここで、左目画像１０Ｌは上側に行くほど左側に歪み、右目画像１０Ｒは上側に行くほど右側に歪んでいるので、左目画像１０Ｌ及び右目画像１０Ｒの上端部及び下端部では、左目画像１０Ｌ及び右目画像１０Ｒにずれが発生している。つまり、本実施形態では、左目画像１０Ｌ及び右目画像１０Ｒの上下方向において、左右方向における左目画像１０Ｌと右目画像１０Ｒとのずれ量が変化する。換言すれば、左右方向（第１方向）における左目画像１０Ｌと右目画像１０Ｒとのずれ量は、上下方向（第２方向）における第１部位と第２部位とで異なっている。このように、上下方向においてユーザ２００の視点の位置から離れるほど、左右方向における左目画像１０Ｌと右目画像１０Ｒとのずれ量が大きくなるので、左右の目に視差を与えて、疑似的な立体視を実現できる。
【００４４】
さらに、本実施形態では、光学系部品５の像歪発生構造は、第１ずれ量Ｇ１に比べて第２ずれ量Ｇ２の方が大きくなるように構成されている。第１ずれ量Ｇ１は、左目画像１０Ｌ及び右目画像１０Ｒの上端部における左目画像１０Ｌと右目画像１０Ｒとのずれ量である。第２ずれ量Ｇ２は、左目画像１０Ｌ及び右目画像１０Ｒの下端部における左目画像１０Ｌと右目画像１０Ｒとのずれ量である。電子ミラーシステム１では、画像の下側に映っている物体よりも、画像の上側に映っている物体の方が遠い位置にある。したがって、左目画像１０Ｌ及び右目画像１０Ｒの像歪によって左右の目に発生する視差は、画像の下端部（つまり本体１０１の近傍領域）に比べて、画像の上端部（つまり本体１０１から遠い遠方領域）の方が小さくなる。よって、本体１０１の近傍領域では左右の目に発生する視差が大きくなるから疑似的な立体視を実現でき、虚像３０までの距離をつかみやすくなる。一方、本体１０１から遠い遠方領域では左右の目に発生する視差が小さくなり、立体視の効果が得られなくなるが、遠方領域では距離感が分からなくても不都合が少ないので、ユーザ２００に対してより自然な疑似立体視画像を提供できる。
【００４５】
尚、図５Ａ〜図５Ｃは、表示システム２を備える電子ミラーシステム１が表示する画像の一例である。上述のように、ユーザ２００の左目に結像する左目画像１０Ｌ（図５Ａ参照）に発生する像歪と、ユーザ２００の右目に結像する右目画像１０Ｒ（図５Ｂ参照）に発生する像歪とは互いに異なっている。このように、左右の目に結像される左目画像１０Ｌと右目画像１０Ｒとには互いに異なる像歪が発生しているので、左右の目には像歪による視差が発生し、疑似的な立体視を実現できる。したがって、ユーザ２００には立体的な虚像３０（図５Ｃ参照）が見えるので、虚像３０に映っている物体（例えば後続車等）までの距離がつかみやすくなる。尚、左目画像１０Ｌ及び右目画像１０Ｒは平行四辺形状に歪んでいる。ここで、左目画像１０Ｌの上下方向に沿う一辺に平行な方向と上下方向とが交差する角度、及び、右目画像１０Ｒの上下方向に沿う一辺に平行な方向と上下方向とが交差する角度をそれぞれθ１０とする（図５Ｂ参照）。光学系部品５は、左目画像１０Ｌの上下方向に沿う一辺に平行な方向と右目画像１０Ｒの上下方向に沿う一辺に平行な方向と上下方向とが交差する角度（２×θ１０）が、例えば１度以上かつ４度以下となるように構成されている。角度（２×θ１０）が１度未満であると、左右の目に視差を与える効果が小さく、角度（２×θ１０）は例えばカメラ３の地上高に応じて所定の値に設定されるのが好ましい。ここで、角度（２×θ１０）が４度以上であると、左右の目に与える視差が大きすぎてユーザ２００が違和感を覚える可能性があるので、角度（２×θ１０）は１度以上かつ４度以下とするのが好ましい。
【００４６】
また、本実施形態の表示システム２では、光学系部品５は、図１に示すように、表示面４１１から出力された光に基づく入射光を上向きに反射して、左目及び右目に入射させる反射部材５１を含んでいる。反射部材５１は、入射光を斜め上向きに反射してアイボックス２１０に出力しているので、ユーザ２００によって視認される虚像３０において、虚像３０の上部よりも下部の方が虚像３０までの距離が短くなるような見え方を実現できる。
【００４７】
また、本実施形態の表示システム２では、図６Ａ及び図６Ｂに示すように、光学系部品５（つまり反射部材５１）は、第１部分画像２０Ｌ（図６Ｂ参照）に基づく左目画像１０Ｌをユーザ２００の左目Ｅ１に結像させる。また、光学系部品５（反射部材５１）は、第２部分画像２０Ｒ（図６Ｂ参照）に基づく右目画像１０Ｒを右目Ｅ２に結像させる。第１部分画像２０Ｌ及び第２部分画像２０Ｒは、それぞれ、表示装置４１の表示面４１１に表示される画像２０Ａ（図６Ｂ参照）の一部であり、第１部分画像２０Ｌと第２部分画像２０Ｒとは部分的に重なっている。図６Ａでは、画像２０Ａの全体が光学系部品５で反射された場合の全体の投影画像１０Ａを一点鎖線で示している。尚、図６Ａ、図６Ｂ、図７Ａ、図７Ｂにおいて、領域等を示す線（点線、一点鎖線、二点鎖線等）は説明のために図示しているだけで、実体を伴わない。また、図６Ａ、図６Ｂ、図７Ａ、図７Ｂでは、左目画像１０Ｌ及び右目画像１０Ｒなどは、画像の枠のみを図示しているが、実際にはカメラ３の映像に基づく画像が表示される。
【００４８】
ユーザ２００の左目Ｅ１及び右目Ｅ２がアイボックス２１０の中央に位置する場合、左目Ｅ１及び右目Ｅ２にそれぞれ結像する左目画像１０Ｌ及び右目画像１０Ｒが、全体の投影画像１０Ａの中央に位置している。したがって、アイボックス２１０の範囲内で、ユーザ２００の頭の位置が上下左右に移動した場合は、全体の投影画像１０Ａにおいて左目画像１０Ｌ及び右目画像１０Ｒとして結像する領域がユーザ２００の頭の位置（つまりは目の位置）の移動に伴って変化する。例えば、図７Ａに示すように、アイボックス２１０の範囲内で、ユーザ２００の左目Ｅ１及び右目Ｅ２が図６Ａの位置から右側に動いた場合は、全体の投影画像１０Ａにおいて左目画像１０Ｌ及び右目画像１０Ｒとして結像する領域が左側に移動する。このように、アイボックス２１０の範囲内でユーザ２００の頭の位置が上下左右に移動すれば、頭の位置（つまりは目の位置）の移動に伴って、見える虚像３０の範囲が変化するので、鏡のような見え方を実現できる。
【００４９】
また、本実施形態の表示システム２では、図６Ａ及び図７Ａに示すように、光学系部品５を介して左目に結像する左目画像１０Ｌと、光学系部品５を介して右目に結像する右目画像１０Ｒとの一部が共通している。光学系部品５の像歪発生構造は、少なくとも、左目画像１０Ｌと右目画像１０Ｒとに共通する画像領域Ｒ１（図６Ａ、図７Ａ参照）において、左目画像１０Ｌの像歪と右目画像１０Ｒの像歪とが互いに異なるように構成されている。このように、左目画像１０Ｌと右目画像１０Ｒとに共通する画像領域Ｒ１で、左目画像１０Ｌの像歪と右目画像１０Ｒの像歪とが互いに異なっているので、画像領域Ｒ１における左目画像１０Ｌと右目画像１０Ｒとで左右の目に視差を与えることができる。よって、左右の目に視差を与えることで、疑似的な立体視を実現できるので、表示システム２Ａでは距離感がつかみやすい虚像３０を表示することができる。
【００５０】
（３）変形例
上記実施形態は、本開示の様々な実施形態の一つに過ぎない。上記実施形態は、本開示の目的を達成できれば、設計等に応じて種々の変更が可能である。
【００５１】
以下、上記の実施形態の変形例を列挙する。以下に説明する変形例は、適宜組み合わせて適用可能である。
【００５２】
本開示における表示システム２又は電子ミラーシステム１の実行主体は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における表示システム２又は電子ミラーシステム１の実行主体としての機能が実現される。プログラムは、コンピュータシステムのメモリに予め記録されていてもよいが、電気通信回線を通じて提供されてもよいし、コンピュータシステムで読み取り可能な非一時的な記録媒体に記録されて提供されてもよい。コンピュータシステムで読み取り可能な非一時的な記録媒体は、メモリカード、光学ディスク、ハードディスクドライブ等である。コンピュータシステムのプロセッサは、半導体集積回路（ＩＣ）又は大規模集積回路（ＬＳＩ）を含む１又は複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００５３】
また、上記の実施形態では、表示システム２はウィンドシールド１０４に近い前側部分に配置した形態となっているが、自動車１００のダッシュボードに配置した形態であってもよい。
【００５４】
また、上記の実施形態では、表示システム２は、１つのハウジング７０に収まる１つの表示装置８にて実現されているが、表示システム２の一部の機能がハウジング７０以外の１つ又は２つのハウジングに収納されていてもよい。例えば、画像形成部４の表示制御部４２の機能が、２つ以上のハウジングに分散して設けられてもよく、例えば、クラウド（クラウドコンピューティング）によって実現されてもよい。
【００５５】
また、上記実施形態の表示システム２を備える電子ミラーシステム１は、自動車１００に適用されるものに限らず、例えば、二輪車、電車、航空機、建設機械、及び船舶等、自動車１００以外の移動体にも適用可能である。
【００５６】
（３．１）変形例１
変形例１に係る表示システム２Ａは、図８に示すように、ユーザ２００によって視認される画像において、画像内の上側ほど虚像までの距離が長くなるように光路長が設定されている点で上記の実施形態と相違する。以下、上記実施形態と同様の構成については、共通の符号を付して適宜説明を省略する。
【００５７】
表示システム２Ａでは、上記の実施形態と表示装置４１Ａの配置が異なっている。すなわち、表示装置４１Ａは、第１光路長Ｌ１が第２光路長Ｌ２よりも長くなるように表示面４１１を鉛直方向に対して所定の角度だけ傾けた状態でハウジング７０内に配置されている。ここで、第１光路長Ｌ１は、左目画像１０Ｌ及び右目画像１０Ｒの上端部における画像形成部４（つまり表示装置４１Ａの表示面４１１）とユーザ２００のアイボックス２１０との間の光路長である。第２光路長Ｌ２は、左目画像１０Ｌ及び右目画像１０Ｒの下端部における画像形成部４（表示装置４１Ａの表示面４１１）とユーザ２００のアイボックス２１０との間の光路長である。上述のように、第１光路長Ｌ１が第２光路長Ｌ２よりも長くなるように、表示装置４１Ａ及び光学系部品５が構成されているので、虚像３０の上側ほどアイボックス２１０から虚像３０までの距離が長くなり、虚像３０がより遠くに存在するように見える。
【００５８】
これにより、光学系部品５（反射部材５１）の像歪発生構造（例えば、反射部材５１の反射面である自由曲面の設計等）で左右の目に視差を発生させることに加えて、表示面４１１を傾斜させることで左右の目に発生する視差を大きくでき、目のフォーカス位置も変化する。したがって、疑似的な立体視の効果が高くなり、変形例１の表示システム２Ａ及び電子ミラーシステム１Ａにおいても、距離感がつかみやすい虚像を表示することができる。
【００５９】
（３．２）変形例２
変形例２に係る表示システム２Ｂは、図９Ａに示すように、光学系部品５が複数の反射部材で構成されている点で上記の実施形態及び変形例１と相違する。以下、上記実施形態と同様の構成については、共通の符号を付して適宜説明を省略する。
【００６０】
変形例２の表示システム２Ｂでは、光学系部品５が、２つの反射部材、つまり第１反射鏡５２１と第２反射鏡５２２とを含んでいる。
【００６１】
第１反射鏡５２１及び第２反射鏡５２２は例えば凹面鏡である。第１反射鏡５２１及び第２反射鏡５２２の反射面は自由曲面であり、表示装置４１から入射する光を所望の方向に出力可能なように第１反射鏡５２１及び第２反射鏡５２２の反射面（自由曲面）は構成されている。つまり、第１反射鏡５２１及び第２反射鏡５２２の属性（例えば、反射面の形状、反射角等）によって像歪発生構造が実現されている。
【００６２】
第２反射鏡５２２は、透光板７３と対向するようにハウジング７０内に配置されている。
【００６３】
表示装置４１は、ハウジング７０の内部において第２反射鏡５２２よりも上側に、表示面４１１を下側に向けた状態で配置されている。
【００６４】
第１反射鏡５２１は、ハウジング７０の内部において、表示装置４１よりも下側に、反射面を表示装置４１と第２反射鏡５２２とにそれぞれ対向させた状態で配置されている。
【００６５】
この表示システム２Ｂでは、表示装置４１の表示面４１１から出力された光が、第１反射鏡５２１と第２反射鏡５２２とで２回反射された後、透光板７３を通してアイボックス２１０に出力される。これにより、表示装置４１の表示面４１１に表示された画像に基づく虚像３０が投影されるので、ユーザ２００は、表示システム２Ｂによって投影された虚像３０を視認することができる。
【００６６】
変形例２の表示システム２Ｂでは、表示装置４１の表示面４１１から出力された光を、光学系部品５で複数回反射した後にアイボックス２１０に出力しているが、最後に反射する第２反射鏡５２２は、入射光を上向きに反射してアイボックス２１０に出力する。すなわち、光学系部品５は、表示面４１１から出力された光に基づく入射光を、上向きに反射して、ユーザ２００の左目及び右目に入射させる反射部材（第２反射鏡５２２）を含む。ここで、反射部材（第２反射鏡５２２）には、斜め下方（矢印Ｄ１１に沿った方向）から入射光が入射し、入射光を斜め上向き（矢印Ｄ１２に沿った方向）に反射する。このように、最後に反射する第２反射鏡５２２は、入射光を上向きに反射してユーザ２００のアイボックス２１０に出力している。したがって、ユーザ２００によって視認される虚像３０において、虚像３０の上部よりも下部の方が虚像３０までの距離が短くなるような見え方を実現できる。
【００６７】
また、変形例２の表示システム２Ｂにおいて、表示面４１１から第１反射鏡５２１に向かって出力される光の出射方向と表示面４１１とのなす角度θ１（図９Ｂ参照）が、図９Ａの場合の角度θ２よりも大きくなるように、表示装置４１が配置されていてもよい。図９Ｂに示す表示システム２Ｂでは、表示面４１１から第１反射鏡５２１に向かって出力される光の出射方向と表示面４１１とのなす角度θ１（図９Ｂ参照）が直角となるように、表示装置４１が配置されている。ここにおいて、「直角」とは厳密に９０度である必要はなく、ハウジング７０の上下方向の寸法を小型化できるような角度範囲であればよい。また、「直角」とは、一例として、表示面４１１から第１反射鏡５２１に向かって出力される光の出射方向と表示面４１１とのなす角度θ１が７０度以上１１０度以下の範囲を含む。
【００６８】
表示面４１１から出力される光の出射方向と表示面４１１とのなす角度θ１が直角になるように、表示装置４１を配置した場合、図９Ａの配置に比べて、表示装置４１の表示面４１１が水平方向となす角度が小さくなる。したがって、図９Ｂの配置では、図９Ａの配置に比べて、ハウジング７０の上下方向の寸法を小さくでき、表示装置８の小型化を図ることができる。
【００６９】
尚、変形例２では光学系部品５が２つの反射部材（第１反射鏡５２１及び第２反射鏡５２２）を含んでいるが、光学系部品５は３つ以上の反射部材を含んでいてもよい。また、光学系部品５は、入射光を屈折するレンズを含んでもよいし、反射部材とレンズとを含んでいてもよく、光学系部品５の構成は光路設計に応じて適宜変更が可能である。
【００７０】
（３．３）変形例３
変形例３に係る表示システム２Ｃ及び電子ミラーシステム１Ｃは、図１０に示すように、検知部６と、調整部７と、を更に備える点で上記の実施形態及び変形例１、２と相違する。以下、上記実施形態及び変形例１、２と同様の構成については、共通の符号を付して適宜説明を省略する。
【００７１】
検知部６は、ユーザ２００の目の位置を検知する。検知部６は、例えばＣＭＯＳイメージセンサ等の撮像素子で撮像されたユーザ２００の顔画像から、ユーザ２００の目の位置を検知する。尚、検知部６は、ユーザ２００の目の位置を直接検知するものに限定されず、ユーザ２００の顔の位置を検知して、顔の位置から目の位置を推定してもよい。
【００７２】
調整部７は、検知部６の検知結果に基づいて、左目画像１０Ｌの像歪と右目画像１０Ｒの像歪とをそれぞれ調整する。ここにおいて、調整部７は、検知部６の検知結果に基づいて、表示装置４１の表示面４１１に表示する画像を調整することで、左目画像１０Ｌの像歪と右目画像１０Ｒの像歪とをそれぞれ調整する。
【００７３】
図１１は、アイボックス２１０におけるユーザ２００の視点の位置を説明する説明図である。アイボックス２１０の中央（点Ｐ３）にユーザ２００の顔の中心がある場合に、ユーザ２００の左目の位置を点Ｐ４とし、ユーザ２００の右目の位置を点Ｐ２とする。また、ユーザ２００の顔の中心が点Ｐ２にある場合に、ユーザ２００の左目の位置を点Ｐ３とし、ユーザ２００の右目の位置を点Ｐ１とする。また、ユーザ２００の顔の中心が点Ｐ４にある場合に、ユーザ２００の左目の位置を点Ｐ５とし、ユーザ２００の右目の位置を点Ｐ３とする。
【００７４】
図１２は、表示装置４１に表示される画像２０Ａがユーザ２００の視点の位置に関係無く同じである場合の左目画像１０Ｌ及び右目画像１０Ｒを示している。
【００７５】
画像形成部４は、ユーザ２００の顔の中心、つまりユーザ２００の目の位置に関係無く、同じ画像２０Ａを表示面４１１に表示させているので、顔の中心が点Ｐ２、Ｐ３、Ｐ４にある場合で、左目に結像する左目画像１０Ｌと、右目に結像する右目画像１０Ｒとがそれぞれ変化する。このように、ユーザ２００の目（視点）の位置によって、左右の目で見える画像が変化するので、左右の目で見える虚像が変化する可能性がある。
【００７６】
それに対して、変形例３では調整部７が、検知部６の検知結果に応じて、つまりユーザ２００の目の位置に応じて、表示面４１１に表示する画像２０Ａを変化させている。調整部７は、図１３に示すように、ユーザ２００の目の位置が変化した場合でも、左目に結像する左目画像１０Ｌ及び右目に結像する右目画像１０Ｒが変化しないように、表示面４１１に表示する画像２０Ａを変化させている。つまり、調整部７は、左目画像１０Ｌ及び右目画像１０Ｒが、ユーザ２００の顔の中心が点Ｐ３にある場合の左目画像１０Ｌ及び右目画像１０Ｒにそれぞれ一致するように、ユーザ２００の目の位置に応じて表示面４１１に表示する画像２０Ａを変化させている。これにより、ユーザ２００の目の位置が変化しても、左目画像１０Ｌ及び右目画像１０Ｒの変化が抑制されるので、左目画像１０Ｌの像歪及び右目画像１０Ｒの像歪の変化が抑制される。よって、ユーザ２００の目の位置が変化しても、ユーザ２００によって視認される虚像３０が変化しにくくなる、という利点がある。
【００７７】
（まとめ）
以上説明したように、第１の態様の表示システム（２，２Ａ〜２Ｃ）は、画像形成部（４）と、光学系部品（５）と、を備える。画像形成部（４）は、画像を形成する光を表示面（４１１）から出力することで表示面（４１１）に画像を表示する。光学系部品（５）は、表示面（４１１）から出力される光の反射と屈折との少なくとも一方を行うことで画像に基づく虚像（３０）を投影する。光学系部品（５）は、光学系部品（５）を介して左目に結像される左目画像（１０Ｌ）の像歪と、光学系部品（５）を介して右目に結像される右目画像（１０Ｒ）の像歪とが互いに異ならせる像歪発生構造（４１１）を有する。
【００７８】
この態様によれば、左右の目に視差を与えることで、疑似的な立体視が実現できるので、距離感がつかみやすい虚像（３０）を表示可能な表示システム（２，２Ａ〜２Ｃ）を提供できる。
【００７９】
第２の態様の表示システム（２，２Ａ〜２Ｃ）では、第１の態様において、左目画像（１０Ｌ）の歪み方及び右目画像（１０Ｒ）の歪み方がそれぞれ上下方向において非対称である。
【００８０】
この態様によれば、ユーザ（２００）のアイボックス（２１０）から虚像（３０）までの距離に応じた視差を左右の目に与えることができる。
【００８１】
第３の態様の表示システム（２，２Ａ〜２Ｃ）では、第１又は第２の態様において、左目画像（１０Ｌ）と右目画像（１０Ｒ）の上下方向において、左右方向における左目画像（１０Ｌ）と右目画像（１０Ｒ）とのずれ量が変化する。
【００８２】
この態様によれば、画像の上下方向においてユーザ（２００）のアイボックス（２１０）から虚像（３０）までの距離に応じた視差を左右の目に与えることができる。
【００８３】
第４の態様の表示システム（２，２Ａ〜２Ｃ）では、第１〜第３のいずれかの態様において、第１ずれ量（Ｇ１）に比べて、第２ずれ量（Ｇ２）の方が大きい。第１ずれ量（Ｇ１）は、左目画像（１０Ｌ）及び右目画像（１０Ｒ）の上端部における左目画像（１０Ｌ）と右目画像（１０Ｒ）とのずれ量である。第２ずれ量（Ｇ２）は、左目画像（１０Ｌ）及び右目画像（１０Ｒ）の下端部における左目画像（１０Ｌ）と右目画像（１０Ｒ）とのずれ量である。
【００８４】
この態様によれば、ユーザ（２００）の視点に近い領域での視差を大きくすることで、立体視の効果を高めることができる。
【００８５】
第５の態様の表示システム（２，２Ａ〜２Ｃ）では、第１〜第４のいずれかの態様において、第１光路長（Ｌ１）は第２光路長（Ｌ２）よりも長い。第１光路長（Ｌ１）は、左目画像（１０Ｌ）及び右目画像（１０Ｒ）の上端部における画像形成部（４）とユーザ（２００）のアイボックス（２１０）との間の光路長である。第２光路長（Ｌ２）は、左目画像（１０Ｌ）及び右目画像（１０Ｒ）の下端部における画像形成部（４）とユーザ（２００）のアイボックス（２１０）との間の光路長である。
【００８６】
この態様によれば、距離感が更につかみやすい虚像（３０）を表示可能な表示システム（２，２Ａ〜２Ｃ）を提供できる。
【００８７】
第６の態様の表示システム（２，２Ａ〜２Ｃ）では、第１〜第５のいずれかの態様において、光学系部品（５）は、第１部分画像（２０Ｌ）に基づく左目画像（１０Ｌ）を左目に結像させ、第２部分画像（２０Ｒ）に基づく右目画像（１０Ｒ）を右目に結像させる。第１部分画像（２０Ｌ）は表示面（４１１）に表示される画像（２０Ａ）の一部である。第２部分画像（２０Ｒ）は表示面（４１１）に表示される画像（２０Ａ）の別の一部である。
【００８８】
この態様によれば、ユーザ（２００）の目の位置の変化に応じて、虚像（３０）の見え方を変化させることができる。
【００８９】
第７の態様の表示システム（２，２Ａ〜２Ｃ）では、第６の態様において、左目画像（１０Ｌ）と右目画像（１０Ｒ）との一部が共通している。少なくとも、左目画像（１０Ｌ）と右目画像（１０Ｒ）とに共通する画像領域（Ｒ１）において、左目画像（１０Ｌ）の像歪と右目画像（１０Ｒ）の像歪とが互いに異なる。
【００９０】
この態様によれば、少なくとも画像領域（Ｒ１）において、左目画像（１０Ｌ）の像歪と右目画像（１０Ｒ）の像歪とを互いに異ならせることで、左右の目に視差を与えることができるので、疑似的な立体視が実現できる。したがって、距離感がつかみやすい虚像（３０）を表示可能な表示システム（２，２Ａ〜２Ｃ）を提供できる。
【００９１】
第８の態様の表示システム（２，２Ａ〜２Ｃ）では、第１〜第７のいずれかの態様において、検知部（６）と、調整部（７）と、を更に備える。検知部（６）は、ユーザ（２００）の目の位置を検知する。調整部（７）は、検知部（６）の検知結果に基づいて、左目画像（１０Ｌ）の像歪と右目画像（１０Ｒ）の像歪とをそれぞれ調整する。
【００９２】
この態様によれば、ユーザ（２００）の目の位置に応じて、左目画像（１０Ｌ）の像歪と右目画像（１０Ｒ）の像歪とをそれぞれ調整することができる。これにより、例えば、ユーザ（２００）の目の位置が変化しても、虚像（３０）の見え方が変わらないように、左目画像（１０Ｌ）の像歪と右目画像（１０Ｒ）の像歪とをそれぞれ調整することが可能になる。
【００９３】
第９の態様の表示システム（２，２Ａ〜２Ｃ）では、第１〜第８のいずれかの態様において、光学系部品（５）は、表示面（４１１）から出力された光に基づく入射光を上向きに反射して、左目及び右目に入射させる反射部材（５１，５２２）を含む。
【００９４】
この態様によれば、距離感がつかみやすい虚像（３０）を表示可能な表示システム（２，２Ａ〜２Ｃ）を提供できる。
【００９５】
第１０の態様の表示システム（２，２Ａ〜２Ｃ）では、第１〜第９のいずれかの態様において、画像形成部（４）は、カメラ（３）の映像に基づく画像を表示面（４１１）に表示する。
【００９６】
この態様によれば、カメラ（３）の映像に基づく虚像（３０）を表示できる。
【００９７】
第１１の態様の表示システム（２，２Ａ〜２Ｃ）では、第１〜第１０のいずれかの態様において、光学系部品（５）が反射部材（５１）を含み、像歪発生構造（５１）は、像歪に影響する反射面の属性を含む。
【００９８】
この態様によれば、距離感がつかみやすい虚像（３０）を表示可能な表示システム（２，２Ａ〜２Ｃ）を提供できる。
【００９９】
第１２の態様の表示システム（２，２Ａ〜２Ｃ）では、第１１の態様において、反射部材（５１）の反射面が自由曲面を含む。
【０１００】
この態様によれば、距離感がつかみやすい虚像（３０）を表示可能な表示システム（２，２Ａ〜２Ｃ）を提供できる。
【０１０１】
第１３の態様の電子ミラーシステム（１，１Ａ〜１Ｃ）は、第１〜第１２のいずれかの態様の表示システム（２，２Ａ〜２Ｃ）と、カメラ（３）と、を備える。画像形成部（４）は、カメラ（３）の映像に基づく画像を表示面（４１１）に表示する。
【０１０２】
この態様によれば、距離感がつかみやすい虚像（３０）を表示可能な電子ミラーシステム（１，１Ａ〜１Ｃ）を提供できる。
【０１０３】
第１４の態様の移動体（１００）は、第１３の態様の電子ミラーシステム（１，１Ａ〜１Ｃ）と、電子ミラーシステム（１，１Ａ〜１Ｃ）が搭載される移動体本体（１０１）と、を備える。
【０１０４】
この態様によれば、距離感がつかみやすい虚像（３０）を表示可能な電子ミラーシステム（１，１Ａ〜１Ｃ）を備えた移動体（１００）を提供できる。
【０１０５】
第１５の態様の移動体（１００）では、第１４の態様において、カメラ（３）は、移動体本体（１０１）の後方を撮像する。
【０１０６】
この態様によれば、距離感がつかみやすい虚像（３０）を表示可能な電子ミラーシステム（１，１Ａ〜１Ｃ）を備えた移動体（１００）を提供できる。
【０１０７】
第１６の態様の表示方法は、虚像を形成するための画像（２０Ａ）を形成する光を画像形成部（４）の表示面（４１１）から出力することで表示面（４１１）に画像（２０Ａ）を表示することと、ユーザ（２００）の左目及び右目に左目画像（１０Ｌ）及び右目画像（１０Ｒ）をそれぞれ形成し、ユーザ（２００）の左目及び右目に投影する虚像を投影するために、表示面（４１１）から出力される光を光学系部品（５）によって反射と投影との少なくとも一方を行うことと、光学系部品（５）の像歪発生構造（５１）によって左目画像（１０Ｌ）の像歪と、右目画像（１０Ｒ）の像歪とを互いに異ならせることとを含む。
【０１０８】
この態様によれば、距離感がつかみやすい虚像（３０）を表示可能である。
【０１０９】
尚、第２〜第１０の態様に係る構成については、表示システム（２，２Ａ〜２Ｃ）に必須の構成ではなく、適宜省略可能である。
【符号の説明】
【０１１０】
１，１Ａ〜１Ｃ  電子ミラーシステム
２，２Ａ〜２Ｃ  表示システム
３  カメラ
４  画像形成部
５  光学系部品
６  検知部
７  調整部
１０Ｌ  左目画像
１０Ｒ  右目画像
２０Ａ  画像
２０Ｌ  第１部分画像
２０Ｒ  第２部分画像
３０  虚像
５１，５２２  反射部材（像歪発生構造）
１００  移動体
１０１  移動体本体
２００  ユーザ
２１０  アイボックス
４１１  表示面
Ｇ１  第１ずれ量
Ｇ２  第２ずれ量
Ｌ１  第１光路長
Ｌ２  第２光路長
Ｒ１  第３部分画像
【図１】
2019174794.tif 000003
【図２】
2019174794.tif 000004
【図３】
2019174794.tif 000005
【図４】
2019174794.tif 000006
【図５】
2019174794.tif 000007
【図６】
2019174794.tif 000008
【図７】
2019174794.tif 000009
【図８】
2019174794.tif 000010
【図９】
2019174794.tif 000011
【図１０】
2019174794.tif 000012
【図１１】
2019174794.tif 000013
【図１２】
2019174794.tif 000014
【図１３】
2019174794.tif 000015